(57)【要約】【課題】扉に筋交としての機能を持たせつつ、かつ通気穴を塞ぐ恐れのない両扉式キャビネットの補強構造を提供する。【解決手段】電気機器を収納する筐体本体１と、この筐体本体１の開口部８を覆う両扉１０とを備えた両扉式キャビネットの補強構造であって、両扉１０の中央側端部をそれぞれ筐体内側方向に折り曲げた互いに面する合わせ面１１の上部または下部の少なくとも一方に、筐体本体１の横フレーム３に形成した凸辺部１２と嵌合する切欠部１３をそれぞれ設けるとともに、この切欠部の周縁に補強部としての補強金具１４を設けた。【選択図】図２
2017152427.tif 000002
【特許請求の範囲】
【請求項１】
電気機器を収納する筐体本体と、
この筐体本体の開口部を覆う両扉とを備えた両扉式キャビネットの補強構造であって、前記両扉の中央側端部をそれぞれ筐体内側方向に折り曲げた互いに面する合わせ面の上部または下部の少なくとも一方に、前記筐体本体のフレームに形成した凸辺部と嵌合する切欠部をそれぞれ設けるとともに、
この切欠部の周縁に補強部を設けたことを特徴とする両扉式キャビネットの補強構造。
【請求項２】
前記補強部は、前記合わせ面の上端または下端の少なくとも一方と当接していることを特徴とする請求項１記載の両扉式キャビネットの補強構造。
【請求項３】
前記切欠部の周縁には、前記凸辺部と当接する戸当たりを設けたことを特徴とする請求項１または２記載の両扉式キャビネットの補強構造。
【発明の詳細な説明】
【技術分野】
【０００１】
本発明は、両扉を備えたキャビネットの補強構造に関するものである。
【背景技術】
【０００２】
地震によるキャビネットの破損を回避するための耐震構造として、キャビネットの扉自体に筋交としての機能を持たせて補強する技術が開示されている（特許文献１）。斯かる技術によれば、扉の裏面四隅に係合溝を有する補強材を設け、キャビネットのフレームに形成した係合突起をこの係合溝に嵌入することで、扉閉塞時には対角に位置する補強材が筋交として機能し、耐震性能を向上させることができる。
【０００３】
また、前記の技術は片扉式キャビネットに関するものであるが、キャビネットには両扉式のものもあり、このようなキャビネットにおいては通気性を向上させるために扉枠の間際にまで通気穴を形成することがある。したがって、従来のように各扉の裏面四隅に補強材を設けてしまうと、この補強材が通気穴を塞いでしまい、通気性能が低下してしまうという問題があった。
【先行技術文献】
【特許文献】
【０００４】
【特許文献１】特開２００８−１５９９０４号公報
【発明の概要】
【発明が解決しようとする課題】
【０００５】
本発明の目的は前記した従来の問題点を解決し、扉に筋交としての機能を持たせつつ、かつ通気穴を塞ぐ恐れのない両扉式キャビネットの補強構造を提供することである。
【課題を解決するための手段】
【０００６】
上記課題を解決するためになされた本発明は、電気機器を収納する筐体本体と、この筐体本体の開口部を覆う両扉とを備えた両扉式キャビネットの補強構造であって、前記両扉の中央側端部をそれぞれ筐体内側方向に折り曲げた互いに面する合わせ面の上部または下部の少なくとも一方に、前記筐体本体のフレームに形成した凸辺部と嵌合する切欠部をそれぞれ設けるとともに、この切欠部の周縁に補強部を設けたことを特徴とするものである。
【０００７】
請求項２記載の発明は、請求項１記載の両扉式キャビネットの補強構造において、前記補強部は、前記合わせ面の上端または下端の少なくとも一方と当接していることを特徴とするものである。
【０００８】
請求項３記載の発明は、請求項１または２記載の両扉式キャビネットの補強構造において、前記切欠部の周縁には、前記凸辺部と当接する戸当たりを設けたことを特徴とするものである。
【発明の効果】
【０００９】
本発明に係る両扉式キャビネットの補強構造は、互いに面する合わせ面の上部または下部の少なくとも一方に、筐体本体のフレームに形成した凸辺部と嵌合する切欠部をそれぞれ設け、さらにこの切欠部の周縁に補強部を設けるものとした。これにより、合わせ面の上部または下部の少なくとも一方に設けた補強部と、この補強部と対角に位置する蝶番とが筋交として機能するため、耐震性能を持たせることができる。さらに、補強部を合わせ面に形成した切欠部周縁に配置することで、扉枠の近接箇所に補強部を設けることができるため、扉枠の間際にまで通気穴を形成しても補強部がこの通気穴を塞ぐ恐れもない。さらに、切欠部に合わせて補強部を設けるという非常に簡単な構成であるため、安価であり、かつ作業効率が良い。
【００１０】
請求項２に係る発明のように、補強部を合わせ面の上端または下端の少なくとも一方と当接させることで、各扉の強度を高め、耐震性能を向上させることができる。
【００１１】
請求項３に係る発明のように、切欠部の周縁に凸辺部と当接する戸当たりを設けることで、扉や補強部と、凸辺部とが直接接触することを防止することができる。
【図面の簡単な説明】
【００１２】
【図１】両扉式キャビネットの全体斜視図である。
【図２】右扉を省略した本発明の要部を示す斜視図である。
【図３】左扉を内側からみた斜視図である。
【図４】図３にさらに戸当たりを取付けた斜視図である。
【図５】図２の側面図である。
【発明を実施するための形態】
【００１３】
以下に本発明の好ましい実施形態を示す。なお、本明細書中における上下、左右、前後方向は図１に示す方向を指すものとする。
図１に示す筐体本体１は、図２中の縦フレーム２、横フレーム３、及び奥行フレーム４からなるフレーム構造体に、天井板５、側板６、図示しない背面板、及び底板をそれぞれ取付けたものである。また、筐体本体１の内部には図２に示すマウントアングル７が設けられており、このマウントアングル７に電気機器を取付けることで電気機器を筐体本体１内に収納するものとしている。なお、本実施形態では縦フレーム２と横フレーム３とを枠状に組み合わせているが、これに限定されず、略ロ字形状に一体形成されたフレームを用いても差し支えない。
【００１４】
図２のように、筐体本体１の前面の開口部８を覆うために、両扉１０が設けられている。ここで、両扉１０は左扉１０ａと右扉１０ｂとにより構成され、先に閉じられる左扉１０ａの右端部に対し、後に閉じられる右扉１０ｂの左端部を外側から重ね合わせることにより閉状態となる。両扉１０はパンチングメタルを打ち抜いて形成した通気穴１５を備えており、またこの両扉１０は縦フレーム２の上下に設けられた蝶番９によって、それぞれ筐体本体１に対して開閉自在となるよう取付けられている。そして、両扉１０を閉状態でロックするために、両扉１０の中央にはクランプハンドル２０が設けられている。
【００１５】
ここで、両扉１０はその中央側端部（左扉１０ａにおいては右端部、右扉１０ｂにおいては左端部）をそれぞれ筐体内側方向に折り曲げて形成した、互いに面する合わせ面１１を有している。なお、図２では右扉１０ｂを省略しているものの、右扉１０ｂは、左扉１０ａを例として後述する構造と同様の構造を有するものとする。
【００１６】
図２のように、下方の横フレーム３には、その長手方向に沿って凸辺部１２が形成されている。そして左扉１０ａの合わせ面１１の下部には、この凸辺部１２と嵌合する切欠部１３が形成されている。さらに図３のように、合わせ面１１の内側かつ切欠部１３の周縁には、切欠部１３の形状に対応するように補強部として設けられた略コ字状の補強金具１４が、固定ネジ１７によって取付けられている。なお、図示を省略しているが、上方の横フレーム３にも同様の凸辺部１２を形成し、この凸辺部１２と嵌合する切欠部１３の周縁に補強金具１４を設けるものとしている。
【００１７】
このように、横フレーム３に形成した凸辺部１２と嵌合する切欠部１３を合わせ面１１の上下にそれぞれ形成し、各切欠部１３の周縁に補強金具１４を設ける構成とすることで、合わせ面１１に設けた補強金具１４と、この補強金具１４と対角に位置する蝶番９とが筋交としての機能するため、耐震性能を持たせることができる。さらに、補強金具１４を合わせ面に形成した切欠部１３の周縁に配置することで、扉枠の近接箇所に補強金具１４を設けることができるため、図２のように扉枠の間際にまで通気穴１５を形成しても補強金具１４がこの通気穴１５を塞ぐ恐れもない。さらに、切欠部１３に合わせて補強金具１４を取付けるという非常に簡単な構成であるため、安価であり、かつ作業効率が良い。なお、補強部はこのような補強金具１４に限定されず、その他にも切欠部１３の周縁を折り曲げることにより扉と一体に形成した中空構造を有するものであっても差し支えない。
【００１８】
また、図３に示すように、補強金具１４を合わせ面１１の下端に当接させることで、各扉１０ａ、１０ｂの強度を高め、耐震性能を向上させることができる。なお、上方においても同様に、補強金具１４を合わせ面１１の上端に当接させることが望ましい。このように、補強金具１４を合わせ面１１の上端または下端の少なくとも一方と当接させることで、耐震性能を向上させることができる。なお、補強金具１４は各扉１０ａ、１０ｂの裏面と当接するように配置することがより好ましく、これによっても各扉１０ａ、１０ｂの強度を高め、耐震性能を向上させることができる。
【００１９】
さらに図４に示すように、凸辺部１２と当接する略四角形状の戸当たり１６を、切欠部１３の周縁に設けるものとした。ここで、戸当たり１６は補強金具１４を取付けるための固定ネジ１７の先端と当接することで合わせ面１１の内側に保持されている。このように戸当たり１６を設けることで、図５に示すように各扉１０ａ、１０ｂと凸辺部１２とが直接接触することを防止することができるものとなる。
【符号の説明】
【００２０】
１  筐体本体
２  縦フレーム
３  横フレーム
４  奥行フレーム
５  天井板
６  側板
７  マウントアングル
８  開口部
９  蝶番
１０  両扉
１０ａ  左扉
１０ｂ  右扉
１１  合わせ面
１２  凸辺部
１３  切欠部
１４  補強金具
１５  通気穴
１６  戸当たり
１７  固定ネジ
２０  クランプハンドル
【図１】
2017152427.tif 000003
【図２】
2017152427.tif 000004
【図３】
2017152427.tif 000005
【図４】
2017152427.tif 000006
【図５】
2017152427.tif 000007